(57)【要約】【課題】光ディスクに記録されたデータの記録品質を確保し得る光ディスク装置及び記録パワー制御方法を提案する。【解決手段】光ディスクに対するデータの記録時に、光ディスクに記録されたデータを定期的に再生し、再生したデータの再生波形に基づいて、光ディスクにおけるデータの記録品質の指標となるβ値を取得し、取得したβ値に基づいて記録パワーの補正率を算出し、補正率に基づいて記録パワーを補正すると共に、この際、光ディスクの記録領域を複数のゾーンに区分し、ゾーンごとの前記補正率を管理し、光ディスクにおける次にデータを記録すべきゾーンの補正率に基づいて記録パワーを補正するようにした。【選択図】図３
2008299937.tif 000002
【特許請求の範囲】
【請求項１】
光ディスクに対するデータの記録時に、前記光ディスクに記録されたデータを定期的に再生する再生部と、
前記再生部により再生された前記データの再生波形に基づいて、前記光ディスクにおける前記データの記録品質の指標となるβ値を取得し、取得した前記β値に基づいて記録パワーの補正率を算出する補正率算出部と、
前記光ディスクの記録領域を複数のゾーンに区分し、前記ゾーンごとの前記補正率を管理する補正率管理部と、
前記光ディスクにおける次にデータを記録すべき前記ゾーンの前記補正率に基づいて前記記録パワーを補正する記録パワー補正部と
を備えることを特徴とする光ディスク装置。
【請求項２】
前記補正率管理部は、
前記ゾーンごとの開始アドレスを前記ゾーンごとの前記補正率と併せて管理し、
前記記録パワー補正部は、
前記ゾーンごとの前記開始アドレスに基づいて、前記データを記録する前記ゾーンの前記補正率を取得する
ことを特徴とする請求項１に記載の光ディスク装置。
【請求項３】
前記光ディスクは、
データを記録するデータ領域に欠陥があったときの交替領域を有し、
前記補正率管理部は、
少なくとも前記データ領域及び前記交替領域を異なる前記ゾーンに区分する
ことを特徴とする請求項１に記載の光ディスク装置。
【請求項４】
前記光ディスクは、ブルーレイディスクである
ことを特徴とする請求項３に記載の光ディスク装置。
【請求項５】
前記光ディスクから再生されたデータと記録対象のデータと比較し、正しくデータが記録されているかを検証するベリファイ部を備え、
前記補正率算出部は、
前記ベリファイ部による前記検証の際に得られた再生波形に基づいて前記β値を取得する
ことを特徴とする請求項１に記載の光ディスク装置。
【請求項６】
光ディスクに対するデータの記録時に、前記光ディスクに記録されたデータを定期的に再生する第１のステップと、
再生した前記データの再生波形に基づいて、前記光ディスクにおける前記データの記録品質の指標となるβ値を取得し、取得した前記β値に基づいて記録パワーの補正率を算出する第２のステップと、
前記補正率に基づいて前記記録パワーを補正する第３のステップと
を備え、
前記光ディスクの記録領域を複数のゾーンに区分し、前記ゾーンごとの前記補正率を管理し、
前記第３のステップでは、
前記光ディスクにおける次にデータを記録すべき前記ゾーンの前記補正率に基づいて前記記録パワーを補正する
ことを特徴とする記録パワー制御方法。
【請求項７】
前記ゾーンごとの開始アドレスを前記ゾーンごとの前記補正率と併せて管理し、
前記第２のステップでは、
前記ゾーンごとの前記開始アドレスに基づいて、前記データを記録する前記ゾーンの前記補正率を取得する
ことを特徴とする請求項６に記載の記録パワー制御方法。
【請求項８】
前記光ディスクは、データを記録するデータ領域に欠陥があったときの交替領域を有し、
少なくとも前記データ領域及び前記交替領域を異なる前記ゾーンに区分する
ことを特徴とする請求項６に記載の記録パワー制御方法。
【請求項９】
前記光ディスクは、ブルーレイディスクである
ことを特徴とする請求項８に記載の記録パワー制御方法。
【請求項１０】
前記第２のステップでは、
前記光ディスクから再生されたデータと記録対象のデータと比較し、正しくデータが記録されているかを検証すると共に、当該検証の際に得られた再生波形に基づいて前記β値を取得する
ことを特徴とする請求項６に記載の記録パワー制御方法。
【発明の詳細な説明】
【技術分野】
【０００１】
本発明は、光ディスク装置及び記録パワー制御方法に関し、例えばブルーレイディスク（ＢＤ：Blu-ray Disc）に対応した光ディスク装置に適用して好適なものである。
【背景技術】
【０００２】
従来、光ディスク装置では、光ディスクにデータを記録する際、ＯＰＣ（Optimum Power Calibration）と呼ばれる記録パワーの調整処理が行われている。ＯＰＣでは、光ディスクの最内周に設けられた試書き領域に既定のデータを試書きし、その試書きしたデータの再生波形に基づいて最適な記録パワー（以下、これを単に最適記録パワーと呼ぶ）を決定する。
【０００３】
ただし、かかるＯＰＣは、データの記録開始前に行なわれるため、記録開始後の環境変化や光ディスク上の記録位置の変化に伴う最適記録パワーの変化には対応できない。そこで、このような最適記録パワーの変化に対応する記録パワー制御方法として、近年、ウォーキングＯＰＣと呼ばれる方式が提案されている（特許文献１〜特許文献３参照）。
【０００４】
ウォーキングＯＰＣ方式は、一定間隔ごと又は一定時間ごとに記録を停止して記録終端部を再生すると共に、その記録終端部におけるデータの記録品質を評価し、評価結果に基づいて記録パワーを補正する方式である。このようなウォーキングＯＰＣ方式による記録パワー制御は、再生互換を保証する高い記録品質を確保できるため、近年では広く用いられている。
【０００５】
かかるウォーキングＯＰＣ方式では、記録品質の指標として、振幅の非対称性を示すβ値と呼ばれるパラメータが用いられる。そして、ウォーキングＯＰＣ方式では、一定間隔ごと又は一定時間ごとに、予め設定された目標とすべきβ値（以下、適宜、これを目標β値と呼ぶ）と、そのときの記録終端部を再生することにより得られたβ値（以下、適宜、これを測定β値と呼ぶ）とに基づいて記録パワーの補正率を算出し、この補正率に基づいて記録パワーの補正を行なう。
【０００６】
かかるβ値は、記録パワーの変化に応じてほぼ一様に変化する。このため記録品質の指標としてβ値を用いることによって、ＣＬＶ（Constant Linear Velocity）方式のように常に記録パワーが一定の記録方式の場合は無論のこと、ＣＡＶ（Constant Linear Velocity）方式のように、光ディスクの外周側に向かって記録速度が高速化し、これに伴って記録パワーが増大する記録方式の場合でも、目標β値及び測定β値間の差分量と、記録パワーの補正量との関係を一律とすることができる。
【０００７】
ただし、記録パワーに対するβ値の変化比率は光ディスクの種類ごとに異なる。このため、かかるウォーキングＯＰＣ方式を採用した光ディスク装置では、光ディスクの種類ごとの目標β値をそれぞれ保持しており、そのとき装填されている光ディスクの種類に応じて対応する目標β値を使用するように構築されている。
【特許文献１】特開２００４−２３４８１２号公報
【特許文献２】特開２００３−３３１４２６号公報
【特許文献３】特開２００５−９２９５０号公報
【発明の開示】
【発明が解決しようとする課題】
【０００８】
ところで、例えばＤＶＤ（Digital Versatile Disc）では、内周から外周に向かってシーケンシャルにデータが記録される。このためＤＶＤに対応した光ディスク装置では、かかるウォーキングＯＰＣにおける記録パワーの補正率を１つしか記憶しておらず、この補正率をウォーキングＯＰＣを実行する毎にそのとき得られた最新の補正率に順次更新しながら使用している。
【０００９】
ところがブルーレイディスクにおいては、ユーザデータを記録するユーザデータ領域に欠陥があったときの代替領域として、交替領域と呼ばれる記録領域が内周側及び外周側に用意されている。このためブルーレイディスクでは、データの記録時にユーザデータ領域から内周側の交替領域に移動してデータを記録したり、ユーザデータ領域から外周側の交替領域に移動してデータを記録するなど、記録位置を変化させながらデータ記録を行なう可能性がある。
【００１０】
この場合において、ブルーレイディスクのディスク感度等がブルーレイディスクの記録面全面に渡って均一であるとは限らない。このためブルーレイディスクに対して上述した従来のウォーキングＯＰＣ方式を採用した場合、光ディスク上の離れた位置で取得した補正率で記録パワーの補正を行なっても最適記録パワーでのデータ記録が行なえない場合があり、このような場合に記録品質が劣化するおそれがある。
【００１１】
本発明は以上の点を考慮してなされたもので、光ディスクに記録されたデータの記録品質を確保し得る光ディスク装置及び記録パワー制御方法を提案しようとするものである。
【課題を解決するための手段】
【００１２】
かかる課題を解決するため本発明においては、光ディスク装置において、光ディスクに対するデータの記録時に、前記光ディスクに記録されたデータを定期的に再生する再生部と、前記再生部により再生された前記データの再生波形に基づいて、前記光ディスクにおける前記データの記録品質の指標となるβ値を取得し、取得した前記β値に基づいて記録パワーの補正率を算出する補正率算出部と、前記光ディスクの記録領域を複数のゾーンに区分し、前記ゾーンごとの前記補正率を管理する補正率管理部と、前記光ディスクにおける次にデータを記録すべき前記ゾーンの前記補正率に基づいて前記記録パワーを補正する記録パワー補正部とを設けるようにした。
【００１３】
また本発明においては、記録パワー制御方法において、光ディスクに対するデータの記録時に、前記光ディスクに記録されたデータを定期的に再生する第１のステップと、再生した前記データの再生波形に基づいて、前記光ディスクにおける前記データの記録品質の指標となるβ値を取得し、取得した前記β値に基づいて記録パワーの補正率を算出する第２のステップと、前記補正率に基づいて前記記録パワーを補正する第３のステップとを備え、前記光ディスクの記録領域を複数のゾーンに区分し、前記ゾーンごとの前記補正率を管理し、前記第３のステップでは、前記光ディスクにおける次にデータを記録すべき前記ゾーンの前記補正率に基づいて前記記録パワーを補正するようにした。
【発明の効果】
【００１４】
本発明によれば、光ディスク装置が光ディスクに対して記録位置を変化させながらデータを記録する場合においても常に最適記録パワーでのデータ記録を行なうことができるため、光ディスクに記録されたデータの記録品質を確保することができる。
【発明を実施するための最良の形態】
【００１５】
以下図面について、本発明の一実施の形態を詳述する。
【００１６】
（１）本実施の形態による光ディスク装置の構成
図１は本実施の形態による光ディスク装置１を示す。この光ディスク装置１は、ブルーレイディスクのほか、ＤＶＤなどの光ディスク２にも対応しており、ホストコンピュータ３からの要求に応じて、これら光ディスク２にデータを記録し又はこれら光ディスク２に記録されたデータを再生し得るようになされている。
【００１７】
実際上、この光ディスク装置１においては、マイクロコンピュータ部１３の制御のもとに、モータ駆動部１０がスピンドルモータ１１を駆動することにより、所定状態に装填された光ディスク２を当該光ディスク２の記録方式（例えばＣＡＶ方式又はＣＬＶ方式）に応じた回転状態で回転させる。
【００１８】
また光ディスク装置１においては、ホストコンピュータ３から送信される各種コマンドがインタフェース部１２を介してマイクロコンピュータ部１３に与えられる。
【００１９】
マイクロコンピュータ部１３は、制御プログラムや各種制御データ等が格納されたメモリ１３Ａを備えて構成され、ホストコンピュータ３から与えられるコマンドや、ディジタル・シグナル・プロセッサ１４から与えられる各種情報に応じて必要な制御処理や演算処理を実行する。
【００２０】
例えば、マイクロコンピュータ部１３は、ホストコンピュータ３から記録コマンドが与えられた場合には、インタフェース部１２を制御して、この後ホストコンピュータ３から送信される記録対象のデータをディジタル・シグナル・プロセッサ１４に送出させる。
【００２１】
ディジタル・シグナル・プロセッサ１４は、インタフェース部１３を介して与えられる記録対象のデータに対して変調処理を含む所定の信号処理を施し、かくして得られた記録信号を駆動信号としてレーザ駆動部１５に送出する。
【００２２】
レーザ駆動部１５は、ディジタル・シグナル・プロセッサ１４から与えられる駆動信号に基づいて、光ピックアップ１６内の図示しないレーザダイオードを点滅駆動する。この結果、かかる駆動信号（記録信号）に基づいて空間変調されたレーザ光Ｌ１がレーザダイオードから発射され、このレーザ光ＬＩが光ピックアップ１６内の図示しないフォーカスレンズを介して光ディスク２の記録面２Ａに集光される。これにより記録対象のデータが光ディスク２に記録される。
【００２３】
また、かかるレーザ光Ｌ１の光ディスク２における反射光Ｌ２は、光ピックアップ１６内の図示しないフォトディテクタにより光電変換される。そして、この光電変換により得られたＲＦ（Radio Frequency）信号がアナログ／ディジタル変換部１７においてディジタル変換されて、ディジタルＲＦ信号としてディジタル・シグナル・プロセッサ１４に与えられる。
【００２４】
ディジタル・シグナル・プロセッサ１４は、供給されるディジタルＲＦ信号に基づいて、フォーカスエラー信号やトラッキングエラー信号及び回転制御信号などの各種制御信号を生成する。かくして、これらフォーカスエラー信号及びトラッキングエラー信号に基づいて光ピックアップ１６内の図示しない２軸アクチュエータが制御され、これによりフォーカス制御やトラッキング制御が行なわれる。また回転制御信号はモータ駆動部１０に与えられ、この回転制御信号に基づいて、モータ駆動部１０によりスピンドルモータ１１の回転制御が行なわれる。
【００２５】
さらに光ピックアップ１６内のレーザダイオードから発射されたレーザ光Ｌ１の一部は、光ピックアップ１６内の図示しないＡＰＣ（Auto Power Control）制御用のフォトディテクタにより光電変換される。そして、この光電変換により得られたＲＦ信号が、アナログ／ディジタル変換部１７においてディジタル変換された後にディジタルＲＦ信号としてディジタル・シグナル・プロセッサ１４に与えられる。
【００２６】
かくしてディジタル・シグナル・プロセッサ１４は、このディジタルＲＦ信号に基づいて、記録パワーが予め設定された目標とする記録パワー（以下、これを目標記録パワーと呼ぶ）となるように、レーザ駆動部１５に送出する駆動信号の信号レベルを制御する（ＡＰＣ制御）。
【００２７】
一方、マイクロコンピュータ部１３は、インタフェース部１２を介してホストコンピュータ３からの再生コマンドを受信すると、ディジタル・シグナル・プロセッサ１４を制御することにより、所定の制御信号をレーザ駆動部１５に送出させる。
【００２８】
レーザ駆動部１５は、供給される制御信号に基づいて、光ピックアップ１６内のレーザダイオードを所定電圧で点灯駆動する。この結果、このレーザダイオードから所定パワーのレーザ光が発射され、このレーザ光が上述のフォーカスレンズを介して光ディスク２の記録面２Ａに集光される。
【００２９】
このレーザ光Ｌ１の光ディスク２における反射光Ｌ２は、光ピックアップ１６内のかかるフォトディテクタにより光電変換され、かくして得られたＲＦ信号がアナログ／ディジタル変換部１７においてディジタル変換されてディジタルＲＦ信号としてディジタル・シグナル・プロセッサ１４に与えられる。
【００３０】
ディジタル・シグナル・プロセッサ１４は、供給されるディジタルＲＦ信号に対して復調処理等の処理の再生信号処理を施し、かくして得られた再生データをインタフェース部１２を介してホストコンピュータ３に送出する。
【００３１】
また、このときディジタル・シグナル・プロセッサ１４は、データ記録時と同様にして、かかるディジタルＲＦ信号に基づいてフォーカスエラー信号やトラッキングエラー信号及び回転制御信号などの各種制御信号を生成する。かくして、これらフォーカスエラー信号、トラッキングエラー信号及び回転制御信号に基づいて、データ記録時と同様にして、フォーカス制御、トラッキング制御及びスピンドルモータ１１の回転制御が行なわれる。
【００３２】
（２）本光ディスク装置における記録パワー制御方式
次に、かかる光ディスク装置１に採用された記録パワー制御方式について説明する。
【００３３】
本実施の形態による光ディスク装置１の場合、データ記録時の動作モード（以下、これを記録モードと呼ぶ）として、上述のウォーキングＯＰＣを実行しながらシーケンシャルにデータを記録するウォーキングＯＰＣモードと、所定クラスタ分（例えば３０クラスタ分）のデータを記録するごとに、記録したデータを光ディスク２から再生し記録対象のデータと比較して、正しくデータが記録されているかを検証するベリファイモードとの２つのモードが存在する。この場合、ベリファイモードでは、正しくデータを記録できなかったときに、そのデータが交替領域に記録される。
【００３４】
そして光ディスク装置１では、記録パワー制御方式として、ウォーキングＯＰＣモード時にはウォーキングＯＰＣ方式、ベリファイモード時には記録データを再生するごとにβ値を測定してウォーキングＯＰＣ方式と同様の記録パワー制御を行なう方式がそれぞれ採用されている。
【００３５】
この場合において、ウォーキングＯＰＣ方式（及びベリファイモード時の記録パワー制御方式）では、測定β値を取得しながら記録パワーを制御するため、図２（Ａ）に示すように、データ記録の途中で得られたいくつかの測定β値（β1，β2，……）に基づいて、そのときの記録パワー（Ｐ1，Ｐ2，……）と測定β値（β1，β2，……）との関係を検出することができる。具体的には、図２（Ｂ）における線分Ｋの傾きである、そのときの記録パワーに対する測定β値の変化比率を求めることができる。
【００３６】
そこで光ディスク装置１では、かかる記録パワー制御により得られた測定β値とそのときの記録パワーとの関係に基づいて、記録パワーに対する測定β値の変化比率Ａ（図２（Ｂ）線分Ｋの傾き）を計算する。また光ディスク装置１では、この変化比率Ａの逆数（１／Ａ）を補正係数として、次式
［数１］
Ｒup＝Ｒup′＋（目標β値−測定β値）×１／Ａ            ……（１）
により記録パワーの補正率ＲUPを算出し、算出した補正率ＲUPに１を加えたものを現在のＡＰＣ制御の目標記録パワーに乗算するようにして、補正後の新たなＡＰＣ制御の目標記録パワーを算出する。なお、（１）式において、ＲUP′は、前回算出した補正率（１回目のときには初期値）を示す。
【００３７】
ここで、本実施の形態における補正率ＲUPとは、記録開始時のＯＰＣにより補正された、当該補正直後の記録パワー（以下、これを基準記録パワーと呼ぶ）を基準として、その基準記録パワーを増減させる割合をいう。例えば１回目の記録品質を評価したときに得られた補正係数（１／Ａ）が１で、目標β値及び測定β値の差分（目標β値−測定β値）が１のときの補正率ＲUPは１〔％〕となる。従って、この場合には、基準記録パワーを１〔％〕だけ増加させた記録パワーが次に記録品質を評価するまでのＡＰＣ制御の目標記録パワーとなる。
【００３８】
そして光ディスク装置１では、図３に示すように、光ディスク２の記録領域２０を仮想的な複数のゾーン（以下、これを仮想ゾーンと呼ぶ）２１（２１Ａ〜１２Ｅ）に分け、上述の補正率ＲUPをこれら仮想ゾーン２１ごとに取得して記憶しておく一方、光ディスク２にデータを記録する際には、そのデータを記録する仮想ゾーン２１の補正率ＲUPを用いてＡＰＣ制御の目標記録パワーを補正する。
【００３９】
なお、図３は、その光ディスクのメーカコード等の管理情報が格納されたリードイン領域（「Lead-in Zone」）と、内周側の交替領域（「ISA0」）とで１つの仮想ゾーン21（「Zone0」）に設定され、ユーザデータ領域（「User Data Area」）に３つの仮想ゾーン２１（「Zone1」〜「Zone3」）が設定され、外周側の交替領域（「OSA0」）と、リードイン領域と同様の管理情報が格納されたアウター領域（「Outer Zone」）とで１つの仮想ゾーン２１（「Zone4」）に設定された例を示している。
【００４０】
光ディスク装置１では、このような仮想ゾーン２１ごとの記録パワー制御を行なうための手段として、マイクロコンピュータ部１３のメモリ１３Ａに、図４に示すような仮想ゾーン開始アドレス管理テーブル２２、図５に示すような補正率管理テーブル２３及び図６に示すようなストレージテーブル２４が格納されている。
【００４１】
仮想ゾーン開始アドレス管理テーブル２２は、各仮想ゾーン２１の開始アドレスを管理するためのテーブルであり、各仮想ゾーン２１の開始アドレスがその仮想ゾーン２１に付与されたＩＤ（以下、これを仮想ゾーンＩＤと呼ぶ）と対応付けて格納される。
【００４２】
この仮想ゾーン開始アドレス管理テーブル２２は、光ディスク装置１に光ディスク２が装填された段階でマイクロコンピュータ部１３により作成される。実際上、マイクロコンピュータ部１３は、光ディスク装置１に光ディスク２が装填されたときに、その光ディスク２の記録領域２０（図３）を予め定められた所定数（例えば５つ）の仮想ゾーン２１に区分し、それらの仮想ゾーン２１の開始アドレスをそれぞれその仮想ゾーン２１の仮想ゾーンＩＤと対応付けて仮想ゾーン開始アドレス管理テーブル２２に格納する。
【００４３】
また補正率管理テーブル２３は、各仮想ゾーン２１の補正率ＲUPを管理するためのテーブルであり、各仮想ゾーン２１の補正率ＲUPがその仮想ゾーン２１の仮想ゾーンＩＤと対応付けて格納される。なお、対応する光ディスク２にデータが記録されていない初期段階では、各仮想ゾーン２１の補正率ＲUPの初期値としてそれぞれ「０」が格納される。
【００４４】
ストレージテーブル２４は、各メーカがそれぞれ販売する各光ディスク２について、記録速度を１倍速、２倍速、４倍速、……にした場合の目標β値及び目標記録パワーをまとめたテーブルである。
【００４５】
そして光ディスク装置１においては、光ディスク２が装填されると、そのリードイン領域やアウター領域に格納された当該光ディスク２のメーカ名を読み出し、かかるストレージテーブル２４に格納された各目標β値のうちの当該光ディスク２のメーカ名と、そのときの記録速度とに応じた目標β値を読み出して、（１）式の演算に用いる。
【００４６】
ここで、本実施の形態による光ディスク装置１の場合、上述のような仮想ゾーン２１ごとの記録パワー制御は、マイクロコンピュータ部１３のメモリ１３Ａに格納された制御プログラムに基づいて、当該マイクロコンピュータ部１３の制御のもとに、図７及び図８に示す処理手順に従って実行される。
【００４７】
実際上、マイクロコンピュータ部１３は、ホストコンピュータ３から記録コマンドが与えられると、図７及び図８に示す記録処理を開始し、まず、記録コマンドに基づき指定された記録モードがベリファイモードであるか否かを判断する（ＳＰ１）。
【００４８】
そしてマイクロコンピュータ部１３は、この判断において肯定結果を得ると、ディジタル・シグナル・プロセッサ１４及び図示しないシークモータを制御することにより、光ディスク２のＰＣＡに試書きを行わせ、そのときのβ値を測定する。そして、マイクロコンピュータ部１３は、このとき得られた測定β値に基づいて、ディジタル・シグナル・プロセッサ１４に設定されているＡＰＣ制御の目標記録パワーを補正する（ＳＰ２）。なお、このようなβ値の測定方法及び目標記録パワーの補正方法については後述する（ＳＰ４及びＳＰ７参照）。
【００４９】
続いてマイクロコンピュータ部１３は、記録コマンドに含まれるデータ記録開始位置のアドレスと、仮想ゾーン開始アドレス管理テーブル２２（図４）とに基づいて、光ディスク２上のデータ記録開始位置がどの仮想ゾーン２１に属するかを判定する（ＳＰ３）。
【００５０】
次いでマイクロコンピュータ部１３は、ステップＳＰ３の判定結果に基づいて補正率管理テーブル２３（図５）に格納された、データ記録開始位置（又は次にデータを記録する領域の開始位置）が属する仮想ゾーン２１の補正率ＲUPを読み出す。またマイクロコンピュータ部１３は、この補正率ＲUPを現在のＡＰＣ制御の目標記録パワーに乗算し、乗算結果を補正後の新たなＡＰＣ制御の目標記録パワーとしてディジタル・シグナル・プロセッサ１４に設定する（ＳＰ４）。
【００５１】
さらにマイクロコンピュータ部１３は、シークモータを制御することにより光ピックアップ１６を記録開始位置にまで移動させる一方、ディジタル・シグナル・プロセッサ１４を駆動することにより、ステップＳＰ４において設定した目標記録パワーでのデータ記録を開始させる（ＳＰ５）。
【００５２】
この後マイクロコンピュータ部１３は、データの記録を開始してから所定クラスタ（例えば３０クラスタ）分のデータ記録が完了するのを待ち受ける（ＳＰ６）。
【００５３】
そしてマイクロコンピュータ部１３は、やがてデータの記録を開始してから所定クラスタ分のデータ記録が完了することによりステップＳＰ６において肯定結果を得ると、光ディスク２に記録したデータの検証を行うと共に、そのときのβ値を測定する（ＳＰ７）。
【００５４】
具体的にマイクロコンピュータ部１３は、ディジタル・シグナル・プロセッサ１４及びシークモータ等を制御することにより、光ディスク２に対するデータの記録を停止させ、そのとき光ディスク２に記録した所定クラスタ分のデータを再生させる。そして、このとき得られたＲＦ信号が、アナログ／ディジタル変換部１７を介してディジタルＲＦ信号としてディジタル・シグナル・プロセッサ１４に与えられる。
【００５５】
ディジタル・シグナル・プロセッサ１４は、供給されるディジタルＲＦ信号に対して復調処理等の所定の信号処理を施し、かくして得られた再生データと、図示しない内部メモリに保持しているそのとき光ディスク２に記録したデータとが一致するか否かを判定する。そしてディジタル・シグナル・プロセッサ１４は、この判定結果（一致又は不一致）をマイクロコンピュータ部１３に出力する。
【００５６】
またディジタル・シグナル・プロセッサ１４は、かかる信号処理の過程で得られた再生信号に基づいて、次式
［数２］
β＝（ａ１＋ａ２）／（ａ１−ａ２）                          ……（２）
により、そのときのβ値（測定β値）を算出する。なお、この（２）式において、ａ１は再生信号の最大レベルを表し、ａ２は再生信号の最小レベルを表す。そしてディジタル・シグナル・プロセッサ１４は、このようにして得られたβ値をマイクロコンピュータ部１３に送出する。
【００５７】
一方、マイクロコンピュータ部１３は、ディジタル・シグナル・プロセッサ１４から与えられる上述の判定結果に基づいて、再生エラーが発生したか否かを判断する（ＳＰ８）。具体的に、マイクロコンピュータ部１３は、かかる判定結果として「不一致」という結果が得られたときには、再生エラーが発生したと判断し、「一致」という結果が得られたときには、再生エラーが発生していないと判断する。
【００５８】
そしてマイクロコンピュータ部１３は、この判断において肯定結果を得たときには、今回得られた測定β値と、前回までに得られた測定β値のうちの今回の測定β値に最も近い測定β値（初回では目標β値）とを用いて記録パワーに対する測定β値の変化比率Ａ（図２の線分Ｋの傾き）の逆数を補正係数として算出する。またマイクロコンピュータ部１３は、この補正係数を用いて（１）式により補正率ＲUPを算出する（ＳＰ９）。
【００５９】
そしてマイクロコンピュータ部１３は、このようにして算出した補正率ＲUPを、直近のステップＳＰ３において判定した仮想ゾーン２１と対応付けて補正率管理テーブル２３に格納し（ＳＰ１０）、この後今回記録に失敗したデータを記録する交替領域内の領域を決定し（ＳＰ１１）、この後、ステップＳＰ３に戻る。この結果、今回記録に失敗したデータがステップＳＰ１１において決定された交替領域内の領域に、当該領域が属する仮想ゾーン２１の補正率ＲUPを用いて補正された目標記録パワーで記録される（ＳＰ３〜ＳＰ１２）。なお、マイクロコンピュータ部１３は、この後、データの記録先をユーザデータ領域内の対応する領域に戻す。
【００６０】
これに対してマイクロコンピュータ部１３は、ステップＳＰ８の判断において否定結果を得ると、記録対象のすべてのデータを光ディスク２に記録し終えたか否かを判断する（ＳＰ１２）。そしてマイクロコンピュータ部１３は、この判断において否定結果を得るとステップＳＰ３に戻り、この後ステップＳＰ１２において肯定結果を得るまで同様の処理を繰り返す（ＳＰ３〜ＳＰ１２−ＳＰ３）。
【００６１】
そしてマイクロコンピュータ部１３は、やがて記録対象のすべてのデータを光ディスク２に記録し終えることによりステップＳＰ１２において肯定結果を得ると、この記録処理を終了する。
【００６２】
他方、マイクロコンピュータ部１３は、ステップＳＰ１の判断において否定結果を得ると、ステップＳＰ２〜ステップＳＰ５と同様にステップＳＰ１３〜ステップＳＰ１６を処理することにより、ＯＰＣ等を行いデータの記録を開始する。
【００６３】
続いてマイクロコンピュータ部１３は、現在、データを記録しているユーザデータ領域が交替済み領域であるか否かを判断する（ＳＰ１７）。このような判断を行なうのは、光ディスク２が書換え型（ＲＥ）のものであり、既にデータが記録されたユーザデータ領域上にデータを上書きするような場合に、前回のデータ記録の際に検出されたユーザデータ領域内の欠陥部位が交替領域内のいずれかの領域に交替処理されている場合があることから、これに対応するためである。
【００６４】
そしてマイクロコンピュータ部１３は、この判断において肯定結果を得ると、ステップＳＰ１４に戻り、その交替領域内のこれからデータを記録しようとしている領域が属する補正率ＲUPを補正率管理テーブル２３から読み出し、この補正率ＲUPを用いて目標記録パワーを補正した後、そのデータを当該領域に記録する。なお、マイクロコンピュータ部１３は、この後、データの記録先をユーザデータ領域内の対応する領域に戻す。
【００６５】
またマイクロコンピュータ部１３は、ステップＳＰ１７の判断において否定結果を得ると、ステップＳＰ１６においてデータ記録を開始してから一定時間（又は一定間隔）が経過したか否かを判断する（ＳＰ１８）。そしてマイクロコンピュータ部１３は、この判断において否定結果を得ると、ステップＳＰ１７に戻って光ディスク２に対するデータ記録を続けさせる（ＳＰ１７−ＳＰ１８−ＳＰ１７）。
【００６６】
そしてマイクロコンピュータ部１３は、データの記録を開始してから一定時間（又は一定間隔）が経過することによりステップＳＰ１８において肯定結果を得ると、ステップＳＰ７と同様にしてそのときのβ値を測定する（ＳＰ１９）。
【００６７】
またマイクロコンピュータ部１３は、この後、そのときデータを記録した領域が属する仮想ゾーン２１の補正率ＲUPを算出すると共に（ＳＰ２０）、算出した補正率ＲUPを当該仮想ゾーン２１と対応付けて補正率管理テーブル２３に格納した後（ＳＰ２１）、記録対象のすべてのデータを光ディスク２に記録し終えたか否かを判断する（ＳＰ２２）。
【００６８】
そしてマイクロコンピュータ部１３は、この判断において否定結果を得るとステップＳＰ１４に戻り、この後ステップＳＰ２２において肯定結果を得るまで同様の処理を繰り返す（ＳＰ１４〜ＳＰ２２−ＳＰ１４）。
【００６９】
またマイクロコンピュータ部１３は、やがて記録対象のすべてのデータを光ディスク２に記録し終えることによりステップＳＰ２２において肯定結果を得ると、この記録処理を終了する。
【００７０】
（３）本実施の形態の効果
以上のように本実施の形態による光ディスク装置１では、光ディスク２の記録領域２０（図３）を複数の仮想ゾーン２１に分け、これら仮想ゾーン２１ごとに補正率ＲUPを取得して記憶しておく一方、光ディスク２にデータを記録する際には、そのデータを記録する仮想ゾーン２１の補正率ＲUPを用いてＡＰＣ制御の目標記録パワーを補正するようにしているため、常に最適記録パワーでのデータ記録を行なうことができ、光ディスク２に記録されたデータの記録品質を実用上十分に確保することができる。
【００７１】
（４）他の実施の形態
なお上述の実施の形態においては、本発明を図１のように構成された光ディスク装置１に適用するようにした場合について述べたが、本発明はこれに限らず、この他種々の構成の光ディスク装置に広く適用することができる。
【００７２】
また上述の実施の形態においては、光ディスク２に対するデータの記録時に、光ディスク２に記録されたデータを定期的に再生する再生部を、マイクロコンピュータ部１３、ディジタル・シグナル・プロセッサ１４及び光ピックアップ１６等で構成するようにした場合について述べたが、本発明はこれに限らず、この他種々の構成を広く適用することができる。
【００７３】
さらに上述の実施の形態においては、光ディスク２から再生されたデータの再生波形に基づいてβ値を取得し、取得したβ値に基づいて記録パワーの補正率ＲUPを算出する補正率算出部と、光ディスク２の記録領域２０を複数の仮想ゾーン２１に区分し、仮想ゾーン２１ごとの補正率ＲUPを管理する補正率管理部と、光ディスク２における次にデータを記録すべき仮想ゾーン２１の補正率ＲUPに基づいて目標記録パワーを補正する記録パワー補正部と、光ディスク２から再生されたデータと記録対象のデータと比較し、正しくデータが記録されているかを検証するベリファイ部とを、光ディスク装置１全体の動作制御を司るマイクロコンピュータ部１３により構成するようにした場合について述べたが、本発明はこれに限らず、かかる補正率算出部、補正率管理部、記録パワー補正部及びベリファイ部としての機能の一部又は全部をディジタル・シグナル・プロセッサ１４に割り当てるようにしても良い。また、マイクロコンピュータ部１３とは別にＣＰＵ等のプロセッサを設け、かかる補正率算出部、補正率管理部、記録パワー補正部及びベリファイ部としての機能の一部又は全部をそのプロセッサに割り当てるようにしても良い。
【００７４】
さらに上述の実施の形態においては、光ディスク２の記録領域２０を例えば５つの仮想ゾーン２１に区分するようにした場合について述べたが、本発明はこれに限らず、５未満又は６以上の仮想ゾーン２１に区分するようにしても良い。
【００７５】
さらに上述の実施の形態においては、本発明をブルーレイディスクに対応した光ディスク装置１に適用するようにした場合について述べたが、本発明はこれに限らず、要は、データを記録するデータ領域に欠陥があったときの交替領域を有する光ディスクに対応した光ディスク装置であるのならば、本発明を広く適用することができる。
【００７６】
さらに上述の実施の形態においては、光ディスク装置１がベリファイモード及びウォーキングＯＰＣモードのいずれの記録モードでデータ記録を行なうかをホストコンピュータ３が記録コマンドにおいて指定する場合について述べたが、本発明はこれに限らず、例えば光ディスク装置１のマイクロコンピュータ部１３が当該光ディスク装置１に装填された光ディスク２の種類（ブルーレイディスク又はＤＶＤ）を判別し、当該光ディスク２がブルーレイディスクである場合にはベリファイモードでデータ記録を行い、光ディスク２がＤＶＤである場合にはウォーキングＯＰＣモードでデータ記録を行なうように光ディスク装置１を構築するようにしても良い。
【図面の簡単な説明】
【００７７】
【図１】本実施の形態による光ディスク装置の構成を示すブロック図である。
【図２】（Ａ）及び（Ｂ）は、本実施の形態による光ディスク装置における記録パワー制御方式の説明に供するグラフである。
【図３】仮想ゾーンの説明に供する概念図である。
【図４】仮想ゾーン開始アドレス管理テーブルの説明に供する概念図である。
【図５】補正率管理テーブルの説明に供する概念図である。
【図６】ストレージテーブルの説明に供する概念図である。
【図７】記録処理の処理手順を示すフローチャートである。
【図８】記録処理の処理手順を示すフローチャートである。
【符号の説明】
【００７８】
１……光ディスク装置、２……光ディスク。３……ホストコンピュータ、１３……マイクロコンピュータ部、１３Ａ……メモリ、１４……ディジタル・シグナル・プロセッサ、１６……光ピックアップ、２１，２１Ａ〜２１Ｅ……仮想ゾーン、２２……仮想ゾーン開始アドレス管理テーブル、２３……補正率管理テーブル、２４……ストレージテーブル。
【図１】
2008299937.tif 000003
【図２】
2008299937.tif 000004
【図３】
2008299937.tif 000005
【図４】
2008299937.tif 000006
【図５】
2008299937.tif 000007
【図６】
2008299937.tif 000008
【図７】
2008299937.tif 000009
【図８】
2008299937.tif 000010